(57)【要約】      （修正有）【課題】簡単な構成で、ＰＣを実質的に移動することが出来ないようにして、盗難防止の効果を図ること出来るＬＡＮケーブル用コネクタのロック組体を提供する。【解決手段】少なくとも一本のＬＡＮケーブル１００の先端に一体的に取り付けられ、抜き取り可能にコンピュータ１０１の差込口１０４もしくはイントラネットを構成するハブの複数の差込口１０４に挿入されて、その挿入状態をラッチされるＬＡＮケーブル用コネクタ１０６に着脱自在に取り付けられ、取り付けられた状態において、ＬＡＮケーブル用コネクタ１０６の差込口１０４への挿入状態を特殊ネジによりロックし、特殊ネジが取り外された状態において、ＬＡＮケーブル用コネクタ１０６を差込口１０４から抜き取り可能とすることを特徴としている。さらに、カラーシールをロック組体１０の面に貼り付けることにより、ＰＣ管理者がＰＣの識別可能とした。【選択図】図２
0003101178.tif 000002
【実用新案登録請求の範囲】
【請求項１】
ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、上下方向に分離可能に設けられ、組み付けられた状態で前記ＬＡＮケーブル用コネクタの上下の面を、実質的に固着する状態で挟み込むようになされた第１の囲繞体及び第２の囲繞体と、前記第１の囲繞体及び前記第２の囲繞体とを固定する固定手段と、前記第１の囲繞体に設けられ前記ＬＡＮケーブル用コネクタに備えられたラッチ用フラッパのラッチ解除方向の動きを規制する規制手段と、前記コネクタに対して軸方向に沿う移動を係止する第１の係止手段と、前記第２の囲繞体に設けられ前記コネクタに対して軸方向に沿う移動を係止する第２の係止手段とを具備するＬＡＮケーブル用コネクタのロック組体であって、前記ＬＡＮケーブル用コネクタの前記差込口への夫々の挿入状態を通常の工具では着脱不可能な特殊ネジでロックし、前記特殊ネジを外すことにより前記ＬＡＮケーブルコネクタを前記差込口から夫々の抜き取り可能とすることを特徴とするＬＡＮケーブル用コネクタのロック組体。
【請求項２】
前記第１の囲繞体が、前記ＬＡＮケーブル用コネクタの前記ラッチ用フラッパが設けられた面を覆うように形成され、前記第２の囲繞体が、前記ラッチ用フラッパが設けられた面とは反対の面を覆うように形成されていることを特徴とする請求項１に記載のＬＡＮケーブル用コネクタのロック組体。
【請求項３】
前記固定手段は、前記第１の囲繞体の起立片に設けられた突起片を、前記第２の囲繞体の起立片に設けられた貫通孔に貫入させることを特徴とする請求項１及び２に記載のＬＡＮケーブル用コネクタのロック組体。
【請求項４】
前記規制手段は、前記第１の囲繞体及び前記第２の囲繞体が前記コネクタの上下を挟むように組み付けられた状態で、前記第１の囲繞体から前記ラッチ用フラッパの根元付近まで延出し、該ラッチ用フラッパの押し込み方向の偏倚を規制する少なくとも１個の規制片を備えることを特徴とする請求項１乃至３に記載のＬＡＮケーブル用コネクタのロック組体。
【請求項５】
前記第１の係止手段は、前記コネクタの、前記ラッチ用フラッパが設けられた面に形成された溝に係止される少なくとも１個の係止片を備えることを特徴とする請求項１乃至４に記載のＬＡＮケーブル用コネクタのロック組体。
【請求項６】
前記第２の係止手段は、前記コネクタの前記ラッチ用フラッパが設けられた面とは反対の面に形成された溝に係止される少なくとも１個の係止片を備えることを特徴とする請求項１乃至５に記載のＬＡＮケーブル用コネクタのロック組体。
【請求項７】
ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタのロック組体の表面にカラーシールを貼り付けるＬＡＮケーブル用コネクタのロック組体であって、前記カラーシールを、前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コネクタの前記ラッチ用フラッパが設けられた面とは反対の面を覆う裏側の面の少なくともいずれか１面に貼り付けることを特徴とするＬＡＮケーブル用コネクタのロック組体。
【請求項８】
ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタのロック組体の表面を着色するＬＡＮケーブル用コネクタのロック組体であって、前記ＬＡＮケーブル用コネクタのロック組体の全体若しくは、前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コネクタの前記ラッチ用フラッパが設けられた面とは反対の面を覆う裏側の面の少なくともいずれか１面を着色することを特徴とするＬＡＮケーブル用コネクタのロック組体。
【請求項９】
ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタの前記差込口への夫々の挿入状態を通常の工具では着脱不可能な特殊ネジでロックし、前記特殊ネジを外すことにより前記ＬＡＮケーブルコネクタを前記差込口から夫々の抜き取り可能とするＬＡＮケーブル用コネクタのロック組体であって、前記ＬＡＮケーブル用コネクタのロック組体の表面にカラーシールを貼り付けるＬＡＮケーブル用コネクタのロック組体であって、前記カラーシールを、前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コネクタの前記ラッチ用フラッパが設けられた面とは反対の面を覆う裏側の面の少なくともいずれか１面に貼り付けることを特徴とするＬＡＮケーブル用コネクタのロック組体。
【請求項１０】
ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタの前記差込口への夫々の挿入状態を通常の工具では着脱不可能な特殊ネジでロックし、前記特殊ネジを外すことにより前記ＬＡＮケーブルコネクタを前記差込口から夫々の抜き取り可能とするＬＡＮケーブル用コネクタのロック組体であって、前記ＬＡＮケーブル用コネクタのロック組体の表面を着色するＬＡＮケーブル用コネクタのロック組体であって、ＬＡＮケーブル用コネクタのロック組体全体若しくは前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コネクタの前記ラッチ用フラッパが設けられた面とは反対の面を覆う裏側の面の少なくともいずれか１面を着色することを特徴とするＬＡＮケーブル用コネクタのロック組体。
【考案の詳細な説明】
【技術分野】
【０００１】  本考案は、ＬＡＮケーブルの先端に一体的に取り付けられ、コンピュータ（以下、単にＰＣと呼ぶ。）側の差込口若しくはイントラネットを構成するハブの差込口に抜き差し自在に設けられたコネクタを利用して、コンピュータの盗難を防止するためのＬＡＮケーブル用コネクタのロック組体に関する。
【背景技術】
【０００２】  従来から、ＰＣの盗難防止のために、ＰＣをワイヤー等の連結具で固定部材（例えば、机等）に連結させて、その設置位置に止め置かせる技術は知られており実用に供されている。しかしながら、上述した連結具を用いる場合、現在販売中のＰＣでは連結具を通す穴が形成されておらず、そのため、ＰＣの表面に連結具を通すための穴が形成されたフック部材を接着しなければならないものであった。このように、フック部材を一旦ＰＣの表面に接着してしまうと、これを取り外すことが極めて困難となり、これを無理やり取り外そうとすると、ＰＣの筐体を破損することもあり、改善が要望されていた。【０００３】  また、ハブを介してサーバーに複数のＰＣが接続されるイントラネット構成などの場合、ハブに接続されたＬＡＮケーブルを抜くことにより、そのＬＡＮケーブルに接続されたＰＣもＬＡＮケーブルと一体で持ち出せることが可能になってしまう。そのため、イントラネット構成の場合、上述の連結具を用いてＰＣをその設置場所に止め置かせても、盗難防止の効果を持たせるには不十分であった。【０００４】  そこで、本願考案者は、特願２００３−２８８２４１において、ＰＣの筐体に何ら別部材をつけることなく、このＰＣをその設置場所に止め置かせて、盗難防止やＬＡＮケーブルの抜き差しによるトラブル防止の効果を奏することの出来るＬＡＮケーブル用コネクタのロック組体を既に提案した。このロック組体は、ＰＣに設けられているＬＡＮケーブル用差込口に、ＬＡＮケーブルのコネクタ付近に装着された状態で差し込まれ、ＬＡＮケーブルとＰＣとの接続を抜き取り不可とするものであった。【０００５】  さらに本願考案者は、特願２００３−２７１５７５において、ハブを介してサーバーに複数のＰＣが接続されるイントラネット構成の場合にも、ＰＣを実質的に移動することが出来ないようにして、盗難防止やＬＡＮケーブルの抜き差しによるトラブル防止の効果を図ることの出来るＬＡＮケーブル用コネクタのロック組体を既に提案した。このロック組体は、イントラネットを構成するハブ設けられている複数のＬＡＮケーブル用差込口に、ＬＡＮケーブルのコネクタ付近に装着された状態で差し込まれ、ＬＡＮケーブルとＰＣとの接続を抜き取り不可とするものであった。【０００６】  これらのロック組体は、ＰＣに設けられているＬＡＮケーブル用差込口或いはハブに設けられている複数のＬＡＮケーブル用差込口に差し込まれるＬＡＮケーブルのコネクタ付近に装着されるものであり、上下方向に脱着可能な一組の囲繞体を錠前で旋錠することにより、ＬＡＮケーブルとＰＣとの接続を抜き取り不可とし、ＬＡＮケーブルとハブとの接続を抜き取り不可とするものであった。
【考案の開示】
【考案が解決しようとする課題】
【０００７】  しかし、これらのロック組体では、ロックするための錠前がＰＣ本体にぶつかったり、錠前同士がぶつかりあったりして、夫々の錠前を旋錠することが困難となる問題点があった。【０００８】  また、ＰＣの管理者が、上述のロック組体によるＰＣ盗難防止の確認を行なったり、管理対象のパソコンのトラブルを処置するためには、管理対象のＰＣの識別が不可欠である。これまでは、ＰＣ管理者は、接続されているＬＡＮケーブルのコネクタ付近の形や色などにより管理対象のＰＣを識別してきた。しかし、ＬＡＮケーブルのコネクタ付近を上下方向に脱着可能な一組の囲繞体で覆いロックすることにより、ＬＡＮケーブルのコネクタ付近の形や色などの特徴が見えにくくなりＰＣの識別がしずらくなる問題点があった。
【課題を解決するための手段】
【０００９】  この考案の目的は、上述した事情に鑑みなされたもので、この考案の主たる目的は、ＬＡＮケーブルのコネクタ付近での信頼性を向上させつつ、確実にＰＣ本体をとめおくＬＡＮケーブル用コネクタのロック組体を提供することである。【００１０】  また、この考案の他の目的は、ＬＡＮケーブルのコネクタ付近を上下方向に脱着可能な一組の囲繞体で覆いロックしても、ＰＣ管理者が十分ＰＣの識別ができるＬＡＮケーブル用コネクタのロック組体を提供することである。【００１１】  上述した課題を解決し、目的を達成するため、この考案に係わるＬＡＮケーブル用コネクタのロック組体は、請求項１の記載によれば、ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、上下方向に分離可能に設けられ、組み付けられた状態で前記ＬＡＮケーブル用コネクタの上下の面を、実質的に固着する状態で挟み込むようになされた第１の囲繞体及び第２の囲繞体と、前記第１の囲繞体及び前記第２の囲繞体とを固定する固定手段と、前記第１の囲繞体に設けられ前記ＬＡＮケーブル用コネクタに備えられたラッチ用フラッパのラッチ解除方向の動きを規制する規制手段と、前記コネクタに対して軸方向に沿う移動を係止する第１の係止手段と、前記第２の囲繞体に設けられ前記コネクタに対して軸方向に沿う移動を係止する第２の係止手段とを具備するＬＡＮケーブル用コネクタのロック組体であって、前記ＬＡＮケーブル用コネクタの前記差込口への夫々の挿入状態を通常の工具では着脱不可能な特殊ネジでロックし、前記特殊ネジを外すことにより前記ＬＡＮケーブルコネクタを前記差込口から夫々の抜き取り可能とすることを特徴とする。【００１２】  上述した課題を解決し、目的を達成するため、この考案に係わるＬＡＮケーブル用コネクタのロック組体は、請求項２の記載によれば、前記第１の囲繞体が、前記ＬＡＮケーブル用コネクタの前記ラッチ用フラッパが設けられた面を覆うように形成され、前記第２の囲繞体が、前記ラッチ用フラッパが設けられた面とは反対の面を覆うように形成されていることを特徴とする。【００１３】  上述した課題を解決し、目的を達成するため、この考案に係わるＬＡＮケーブル用コネクタのロック組体は、請求項３の記載によれば、前記固定手段は、前記第１の囲繞体の起立片に設けられた突起片を、前記第２の囲繞体の起立片に設けられた貫通孔に貫入させることを特徴とする。【００１４】  上述した課題を解決し、目的を達成するため、この考案に係わるＬＡＮケーブル用コネクタのロック組体は、請求項４の記載によれば、前記規制手段は、前記第１の囲繞体及び前記第２の囲繞体が前記コネクタの上下を挟むように組み付けられた状態で、前記第１の囲繞体から前記ラッチ用フラッパの根元付近まで延出し、該ラッチ用フラッパの押し込み方向の偏倚を規制する少なくとも１個の規制片を備えることを特徴とする。【００１５】  上述した課題を解決し、目的を達成するため、この考案に係わるＬＡＮケーブル用コネクタのロック組体は、請求項５の記載によれば、前記第１の係止手段は、前記コネクタの、前記ラッチ用フラッパが設けられた面に形成された溝に係止される少なくとも１個の係止片を備えることを特徴とする。【００１６】  上述した課題を解決し、目的を達成するため、この考案に係わるＬＡＮケーブル用コネクタのロック組体は、請求項６の記載によれば、前記第２の係止手段は、前記コネクタの前記ラッチ用フラッパが設けられた面とは反対の面に形成された溝に係止される少なくとも１個の係止片を備えることを特徴とする。【００１７】  上述した課題を解決し、目的を達成するため、この考案に係わるＬＡＮケーブル用コネクタのロック組体は、請求項７の記載によれば、ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタのロック組体の表面にカラーシールを貼り付けるＬＡＮケーブル用コネクタのロック組体であって、前記カラーシールを、前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コネクタの前記ラッチ用フラッパが設けられた面とは反対の面を覆う裏側の面の少なくともいずれか１面に貼り付けることを特徴とする。【００１８】  上述した課題を解決し、目的を達成するため、この考案に係わるＬＡＮケーブル用コネクタのロック組体は、請求項８の記載によれば、ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタのロック組体の表面を着色するＬＡＮケーブル用コネクタのロック組体であって、前記ＬＡＮケーブル用コネクタのロック組体の全体若しくは、前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コ���クタの前記ラッチ用フラッパが設けられた面とは反対の面を覆う裏側の面の少なくともいずれか１面を着色することを特徴とする。【００１９】  上述した課題を解決し、目的を達成するため、この考案に係わるＬＡＮケーブル用コネクタのロック組体は、請求項９の記載によれば、ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタの前記差込口への夫々の挿入状態を通常の工具では着脱不可能な特殊ネジでロックし、前記特殊ネジを外すことにより前記ＬＡＮケーブルコネクタを前記差込口から夫々の抜き取り可能とするＬＡＮケーブル用コネクタのロック組体であって、前記ＬＡＮケーブル用コネクタのロック組体の表面にカラーシールを貼り付けるＬＡＮケーブル用コネクタのロック組体であって、前記カラーシールを、前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コネクタの前記ラッチ用フラッパが設けられた面とは反対の面を覆う裏側の面の少なくともいずれか１面に貼り付けることを特徴とする。【００２０】  上述した課題を解決し、目的を達成するため、この考案に係わるＬＡＮケーブル用コネクタのロック組体は、請求項１０の記載によれば、ＬＡＮケーブルの先端に一体的に取り付けられ、抜き取り可能な状態でコンピュータの差込口若しくはイントラネットを構成するハブの複数の差込口に挿入され、その挿入状態がラッチされる少なくとも１個のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするＬＡＮケーブル用コネクタのロック組体において、前記ＬＡＮケーブル用コネクタの前記差込口への夫々の挿入状態を通常の工具では着脱不可能な特殊ネジでロックし、前記特殊ネジを外すことにより前記ＬＡＮケーブルコネクタを前記差込口から夫々の抜き取り可能とするＬＡＮケーブル用コネクタのロック組体であって、前記ＬＡＮケーブル用コネクタのロック組体の表面を着色するＬＡＮケーブル用コネクタのロック組体であって、ＬＡＮケーブル用コネクタのロック組体全体若しくは前記第１の囲繞体の、前記ＬＡＮケーブル用コネクタの前記ラッチ用フラッパが設けられた面を覆う面の裏側の面と、第１の起立片の外側の面と、第２の起立片の外側の面と、前記第２の囲繞体の、前記ＬＡＮケーブル用コネクタの前記ラッチ用フラッパが設けられた面とは反対の面を覆う裏側の面の少なくともいずれか１面を着色することを特徴とする。
【考案の効果】
【００２１】  この考案のＬＡＮケーブル用コネクタのロック組体によれば、ＬＡＮケーブルのコネクタ付近での信頼性を向上させつつ、確実にＰＣ本体をとめおくＬＡＮケーブル用コネクタのロック組体を提供することが出来る。【００２２】  また、この考案のＬＡＮケーブル用コネクタのロック組体によれば、ＬＡＮケーブルのコネクタ付近を上下方向に脱着可能な一組の囲繞体で覆いロックしても、ＰＣ管理者が十分ＰＣの識別ができるＬＡＮケーブル用コネクタのロック組体を提供することが出来る。
【考案を実施するための最良の形態】
【００２３】  以下、本考案に係わるＬＡＮケーブル用コネクタのロック組体の第一の実施例について図１乃至図６を用いて詳細に説明する。図１は本考案になるロック組体の組み上げられた状態を示す斜視図であり、図１（ａ）は一方向から見た斜視図、図１（ｂ）は図１（ａ）とは反対方向から見た斜視図である。図２は本考案になるロック組体が組み上げられ、コネクタが差込口へ挿入された状態でロックされる様子を示す断面図である。【００２４】  図１、図２に示すように、ＬＡＮケーブル用コネクタのロック組体（以下、単にロック組体と呼ぶ）１０は、第１の囲繞体１２と第２の囲繞体１４とから構成される。このロック組体１０は、ＬＡＮケーブル用コネクタ（以下、単にコネクタと呼ぶ。）１０６に取り付けられ、コネクタ１０６がＰＣ１０１の差込口１０４に挿入される状態をロックし或は解除するよう取り付けられている。【００２５】  すなわち、このロック組体１０は、コネクタ１０６に取り付けられ、押しネジ１０８で留めることによりコネクタ１０６が差込口１０４へ挿入された状態でロックされる。また、ロック組体１０は、押しネジ１０８を取り外すことによりコネクタ１０６から取り外され、コネクタ１０６を差込口１０４からの抜き取りを可能とする。このようにロック組体１０は、コネクタ１０６の差込口１０４への挿入状態をロックすることにより、ＰＣからコネクタ１０６が抜けない状態とし、ＰＣの盗難を防止することができるようになされている。【００２６】  図１（ａ）及び図１（ｂ）について詳細に説明する。第２の囲繞体１４は、第１の囲繞体１２の上部内側に重なるように設けられている。第１の囲繞体１２においては、底部１２Ａの両端部に第１の起立片１２Ｂ、第２の起立片１２Ｃが立ち上がっている。この第１の起立片１２Ｂ、第２の起立片１２Ｃの内側に、第２の囲繞体１４の底部１４Ａの両端部から立ち上がっている第１の起立片１４Ｂと第２の起立片１４Ｃがそれぞれ重なり合うように構成されている。また、第１の囲繞体１２の第２の起立片１２Ｃの先端部の突起片１２Ｇが、第２の囲繞体１４の第２の起立片１４Ｃに設けられている貫通孔１２Ｇに嵌め込む状態で固定されている。さらに、第１の囲繞体１２の第１の起立片１２Ｂに設けられているバカ穴の位置と、第２の囲繞体１４第１の起立片１４Ｂに設けられているネジ穴の位置とを重ね合わせ、バカ穴側から押しネジ１０８をネジ穴に差込み、第１の囲繞体１２と第２の囲繞体１４を固着させることが出来る。なお、ネジ頭１０８Ａはネジ１０８の頭の部分で工具を差込みネジを回す溝が設けられている。ネジ部１０８Ｂはネジ１０８の軸の部分で一定のピッチのネジ山が形成されている。【００２７】  次に図２について詳細に説明する。図２は、ロック組体１０を構成する第１の囲繞体１２及び第２の囲繞体１４がコネクタ１０６に取り付けられた状態を、起立片１２Ｂ側から見た断面図として示した図である。コネクタ１０６が、差込口１０４に挿入された状態で、第１の囲繞体１２の底部１２Ａがコネクタ１０６の上部１０６Ａに接触し、第１の囲繞体１２の第１の係止片１２Ｅは、コネクタ１０６の根元の上部溝部１０６Ｃに食い込むとともに第１の囲繞体１２の規制片１２Ｄがコネ��タ１０６のラッチ用フラッパ１１０の下に挿入されるように取り付けられる。また、第１の囲繞体１２の第２の起立片１２Ｃの先端部の突起片１２Ｇが、第２の囲繞体１４の第２の起立片１４Ｃに設けられている貫通孔１４Ｇに嵌め込むとともに第２の囲繞体１４の第２の係止片１４Ｅは、コネクタ１０６の根元の底部溝部１０６Ｄに食い込む状態で固定されている。【００２８】  この状態で、図２に示すように、ロック組体１０を構成する第１の囲繞体１２及び第２の囲繞体１４は、押しネジ１０８によりコネクタ１０６が差込口１０４へ挿入されたままロックされることになる。第１の囲繞体１２に設けられている第３の起立片１２Ｅの係止片１２Ｆ及び第２の囲繞体１４に設けられている第３の起立片１４Ｅの係止片１４Ｆは、図１（ｂ）に示すよう、それぞれ２個の突起から成っている。これらの２個の突起は一本のＬＡＮケーブル用コネクタ１０６の根元の上部溝部１０６Ｃと底部溝部１０６Ｄをそれぞれ挟み込む構造となっている。【００２９】  図３は、第１の囲繞体１２と第２の囲繞体１４をロックするための押しネジ１０８の例を示す図である。押しネジ１０８は、通常の工具では脱着不可能な特殊ネジであり、ＰＣ管理者のみが保有する専用工具により脱着が可能となるものである。図３（ａ）は超極低頭ネジ、図３（ｂ）は皿ネジ型のいたずら防止ネジ、図３（ｃ）は丸ネジ型のたずら防止ネジである。これらは、いずれもねじの脱着を行うネジ頭１０８Ａに極めて特殊な立体形状の窪が形成されており、特殊な専用工具でこのネジ頭１０８Ａを回すことによりし押しネジ１０８を取り外すことが出来る。このような特殊ネジを上述のロック組体１０に用いることにより、ＰＣ管理者のみが保有する特殊工具によりロック組体１０の脱着可能となるため、ＰＣ盗難防止には極めて有用である。【００３０】    図４は、第１の囲繞体１２の形状の詳細を示す図である。図４（ａ）は、第１の囲繞体１２の正面図、図４（ｂ）は、第１の囲繞体１２の側面図、図４（ｃ）は第１の囲繞体１２の平面図である。第１の囲繞体１２は、コネクタ１０６の上面１０６Ａが接触する底部１２Ａと、この底部１２Ａの軸方向に沿う一方の側縁から起立した第１の起立片１２Ｂ及び他方の側縁から起立した第２の起立片１２Ｃと、この底部１２Ａの軸方向に直行する方向に沿う後縁から起立した第３の起立片１２Ｅと、この底部１２Ａの軸方向に直行する方向に沿う前縁から起立した規制片１２Ｄと、から一体的に形成されている。第２の起立片１２Ｃの先端部に突起片１２Ｇが設けられている。規制片１２Ｄは、コネクタ１０６のラッチ用フラッパ１１０の下に挿入されるように取り付けられる。また、第３の起立片１２Ｅに設けられている係止片１２Ｆは、コネクタ１０６の上部溝部１０６Ｃに第１の囲繞体１２を食い込ませるためのものである。また、第１の起立片１２Ｂには、押しネジ１０８の貫通のためのバカ穴１２Ｇが形成されている。このバカ穴１２Ｈは、押しネジ１０８を通すための穴で、その直径は押しネジ１０８のネジ部１０８Ｂよりわずかに大きくなっている。【００３１】  上述した係止片１２Ｆは、図２に示すように、ロック組体１０がコネクタ１０６に組み付けられた状態で、コネクタ１０６の���方部位に形成された上部溝部１０６Ｃに嵌まり込み係止可能とするものである。この係止された状態で、第１の囲繞体１２（従って、ロック組体１０全体）の軸方向に沿う移動が禁止されるようになされている。この係止片１２Ｆは２個の突起からなり、一本のＬＡＮケーブル用コネクタ１０６の根元の上部溝部１０６Ｃを挟み込む構造となっている。【００３２】  図５は、第２の囲繞体１４の形状の詳細を示す図である。図５（ａ）は、第２の囲繞体１４の正面図、図５（ｂ）は第２の囲繞体１４の側面図、図５（ｃ）は第２の囲繞体１４の平面図である。第２の囲繞体１４は、底部１４Ａと、この底部１４Ａの一辺から起立した第１の起立片１４Ｂと、他辺から起立した第２の起立片１４Ｃと、底部１４Ａの前縁から立ち上がる第３の起立片１４Ｅと、底部１４Ａの反対側の縁から出ている押え片１４Ｄから一体的に形成されている。尚、第３の起立片１２Ｅは、２個の突起からなる係止片１４Ｆから構成され、一本のＬＡＮケーブル用コネクタ１０６の根元の上部溝部１０６Ｃを挟み込む構造となっている。押え片１４Ｄは、コネクタ１０６の底部１０６Ｂに軽く接触するように突き出されたものである。第１の起立片１４Ｂには押しネジ１０８を締め付けるためのネジ穴１４Ｈが形成されている。このネジ穴１４Ｈは、第１の囲繞体１２のバカ穴１２Ｈを貫通した押しネジ１０８を締め付けるための穴で、ネジ部１０８Ｂのネジピッチに合わせてネジが切られている。第２の起立片１４Ｃには貫通孔１４Ｇが設けられている。また、係止片１４Ｆが第１の起立片１４Ｂに沿うように立ち上がっている。また、押え片１４Ｄが第１の起立片１４Ｂの立ち上がりと逆の方向に伸びている。【００３３】  以下に、第１の囲繞体１２と第２の囲繞体１４を互いに組み立てる手順について図６を参照して説明する。【００３４】  図６は第１の囲繞体１２と第２の囲繞体１４を互いに組み立てた時の正面図である。第１の囲繞体１２は、上方から組み付けられた第２の囲繞体１４と各々の起立片が一部重なるように組み立てられる。すなわち、第２の囲繞体１４の第２の起立片１４Ｃの貫通孔１４Ｇに第１の囲繞体１２の第１の起立片１２Ｃの突起片１２Ｇを嵌め込む。次に、第１の囲繞体１２の第１の起立片１２Ｂのバカ穴１２Ｈと第２の囲繞体１４の第１の起立片１４Ｂのネジ穴１４Ｈが同じ位置となるように合わせて、押しネジ１０８で第１の囲繞体１２の第１の起立片１２Ｂと第２の囲繞体１４の第１の起立片１４Ｂを締めつけ、組み立てられる。【００３５】  この後、コネクタ１０６が、差込口１０４に挿入された状態で、第１の囲繞体１２の底部１２Ａがコネクタ１０６の上面１０６Ａに接触するように、第１の囲繞体１２の第１の起立片１２Ｂ及び第２の起立片１２Ｃがコネクタ１０６の下方に位置するように構成される。この場合、第１の囲繞体１２に設けられている係止片１２Ｆは、コネクタ１０６の根元の上面溝部１０６Ｃに食い込む状態となる。また、規制片１２Ｄはコネクタ１０６が差込口１０４に挿入されている状態でコネクタ１０６の上面１０６Ａに接触し沿うようにラッチ用フラッパ１１０の下に挿入される。さらに、第２の囲繞体１４の係止片１４Ｆは、コネクタ１０６の根元の底面溝部１０６��に食い込む状態となる。この状態で、ロック組体１０を構成する第１の囲繞体１２及び第２の囲繞体１４は図６に示すような構成になり、押しネジ１０８により第１の囲繞体１２の第１の起立片１２Ｂと第２の囲繞体１４の第１の起立片１４Ｂが締め付けられ、組み立てられることによりコネクタ１０６が差込口１０４へ挿入されたままロックされる。【００３６】  尚、図７及び図８を参照して、通常の状態における（即ち、この実施例のロック用組体１０を用いていない状態における）ＰＣ１０１のコネクタ１０６が差込口１０４へ差し込まれる動作を説明する。【００３７】  図７はコネクタ１０６と差込口１０４の断面図である。先ず、コネクタ１０６の上面１０６Ａには、弾性的に押し込み偏倚自在にラッチ用フラッパ１１０が取り付けられており、詳細には、図７に示すように、これの先端が、コネクタ１０６の上面１０６Ａの前端縁に一体的に取り付けられている。【００３８】  ここで、ラッチ用フラッパ１１０は、その基端部１１０Ａが幅広に設定されており、この基端部１１０Ａに引き続く先端部１１０Ｂは、基端部１１０Ａよりも幅狭に設定されている。即ち、ラッチ用フラッパ１１０は、幅方向に関して２段構造を呈しており、略中ほどで、段差が形成されているものである。【００３９】  図８は、ＰＣ１０１の差込口を示す斜視図である。差込口１０４は、図８に示すように、開口部の上縁には、ラッチ用フラッパ１１０の幅広の基端部１１０Ａが挿通可能な第１の溝部１０４Ａが形成されており、この第１の溝部１０４Ａの上底面には、ラッチ用フラッパ１１０の幅広の基端部１１０Ａが挿通不能で、幅狭の先端部１１０Ｂのみが挿通可能な第２の溝部１０４Ｂが形成されている。尚、第２の溝部１０４Ｂの軸方向に沿う厚さは薄く設定され、所謂係止用の肩部が規定されている。【００４０】  差込口１０４は、このような構造を呈しているので、再び図７に示すように、コネクタ１０６が差込口１０４に挿入されてくると、ラッチ用フラッパ１１０の幅広の基端部１１０Ａは、第１の溝部１０４Ａを通り抜けながら、これの上底面で徐々に押し下げられることになる。そして、ラッチ用フラッパ１１０の先端部１１０Ｂに移行する段差部が、上述した肩部を通過した時点で、幅狭の先端部１１０Ｂが自身の弾性力により第２の溝部１０４Ｂ内に落ち込むように入り込むこととなり、これにより、ラッチ用フラッパ１１０の段差部が差込口１０４の肩部に係止されることになる。このような段差部と肩部との係止関係により、コネクタ１０６の差込口１０４への差込状態が、抜き取り不能にラッチされることになる。【００４１】  一方、この差込状態から、コネクタ１０６を抜き取る際には、ラッチ用フラッパ１１０を自身の弾性力に抗して押し下げる。この押し下げにより、上述した段差部と肩部との間の係止状態が解除され、コネクタ１０６は差込口１０４から抜き出させられる状態となる。即ち、コネクタ１０６の差込口１０４へのラッチ状態が解除されることになる。この解除状態で、コネクタ１０６を差込口１０４から引き抜くことにより、コネクタ１０６は差込口１０４から引き出されることになる。【００４２】  このように構成されたコネクタ１０６及び差込口１０４の構成において、この実施例のロック用組体１０を用いることにより、組み付けられたロック用組体１０の第２の囲繞体１４に一体的に形成された規制片１２Ｄが、ラッチ用フラッパ１１０の押し下げ移動を邪魔することとなり、これにより、ラッチ用フラッパ１１０の押し下げによるラッチの解除が阻止されることになる。この結果、コネクタ１０６は差込口１０４に差し込まれた状態を維持（即ち、ロック）されることとなり、コネクタ１０６の差込口１０４からの抜き取りが確実に禁止されることになる。【００４３】  以下、本考案に係わるＬＡＮケーブル用コネクタのロック組体の第二の実施例について図９乃至図１３を用いて詳細に説明する。図９は本考案になるロック組体の組み上げられた状態を示す斜視図であり、図９（ａ）は一方向から見た斜視図、図９（ｂ）は図９（ａ）とは反対方向から見た斜視図である。図１０は本考案になるロック組体が組み上げられ、コネクタが差込口へ挿入された状態でロックされる様子を示す断面図である。【００４４】  図０、図１０に示すように、ＬＡＮケーブル用コネクタのロック組体（以下、単にロック組体と呼ぶ）１０は、第１の囲繞体１２と第２の囲繞体１４とから構成される。このロック組体１０は、ＬＡＮケーブル用コネクタ（以下、単にコネクタと呼ぶ。）１０６に取り付けられ、コネクタ１０６がハブ１０２の差込口１０４に挿入される状態をロックし或は解除するよう取り付けられている。【００４５】  すなわち、このロック組体１０は、コネクタ１０６に取り付けられ、押しネジ１０８で留めることによりコネクタ１０６が差込口１０４へ挿入された状態でロックされる。また、ロック組体１０は、押しネジ１０８を取り外すことによりコネクタ１０６から取り外され、コネクタ１０６を差込口１０４からの抜き取りを可能とする。このようにロック組体１０は、コネクタ１０６の差込口１０４への挿入状態をロックすることにより、ＰＣからコネクタ１０６が抜けない状態とし、ＰＣの盗難を防止することができるようになされている。【００４６】  図９（ａ）及び図９（ｂ）について詳細に説明する。第２の囲繞体１４は、第１の囲繞体１２の上部内側に重なるように設けられている。第１の囲繞体１２においては、底部１２Ａの両端部に第１の起立片１２Ｂ、第２の起立片１２Ｃが立ち上がっている。この第１の起立片１２Ｂ、第２の起立片１２Ｃの内側に、第２の囲繞体１４の底部１４Ａの両端部から立ち上がっている第１の起立片１４Ｂと第２の起立片１４Ｃがそれぞれ重なり合うように構成されている。また、第１の囲繞体１２の第２の起立片１２Ｃの先端部の突起片１２Ｇが、第２の囲繞体１４の第２の起立片１４Ｃに設けられている貫通孔１２Ｇに嵌め込む状態で固定されている。さらに、第１の囲繞体１２の第１の起立片１２Ｂに設けられているバカ穴の位置と、第２の囲繞体１４第１の起立片１４Ｂに設けられているネジ穴の位置とを重ね合わせ、バカ穴側から押しネジ１０８をネジ穴に差込み、第１の囲繞体１２と第２の囲繞体１４を固着させることが出来る。なお、ネジ頭１０８Ａはネジ１０８の頭の部分で工具を差込みネジを回す溝が設けられている。ネジ部１０８Ｂはネジ１０８の軸の部分で一定のピッチのネジ山が形成されている。【���０４７】  次に図１０について詳細に説明する。図１０は、ロック組体１０を構成する第１の囲繞体１２及び第２の囲繞体１４がコネクタ１０６に取り付けられた状態を、起立片１２Ｂ側から見た断面図として示した図である。コネクタ１０６が、差込口１０４に挿入された状態で、第１の囲繞体１２の底部１２Ａがコネクタ１０６の上部１０６Ａに接触し、第１の囲繞体１２の第１の係止片１２Ｅは、コネクタ１０６の根元の上部溝部１０６Ｃに食い込むとともに第１の囲繞体１２の規制片１２Ｄがコネクタ１０６のラッチ用フラッパ１１０の下に挿入されるように取り付けられる。また、第１の囲繞体１２の第２の起立片１２Ｃの先端部の突起片１２Ｇが、第２の囲繞体１４の第２の起立片１４Ｃに設けられている貫通孔１４Ｇに嵌め込むとともに第２の囲繞体１４の第２の係止片１４Ｅは、コネクタ１０６の根元の底部溝部１０６Ｄに食い込む状態で固定されている。【００４８】  この状態で、図１０に示すように、ロック組体１０を構成する第１の囲繞体１２及び第２の囲繞体１４は、押しネジ１０８によりコネクタ１０６が差込口１０４へ挿入されたままロックされることになる。第１の囲繞体１２に設けられている第３の起立片１２Ｅは３個の係止片１２Ｆから成り、第２の囲繞体１４に設けられている第３の起立片１４Ｅは３個の係止片１４Ｆから成り、それぞれの係止片は２個の突起から成っている。これらの２個の突起は一本のＬＡＮケーブル用コネクタ１０６の根元の上部溝部１０６Ｃと底部溝部１０６Ｄをそれぞれ挟み込む構造となっている。【００４９】    図１１は、第１の囲繞体１２の形状の詳細を示す図である。図１１（ａ）は、第１の囲繞体１２の正面図、図１１（ｂ）は、第１の囲繞体１２の側面図、図１１（ｃ）は、第１の囲繞体１２の平面図である。第１の囲繞体１２は、コネクタ１０６の上面１０６Ａが接触する底部１２Ａと、この底部１２Ａの軸方向に沿う一方の側縁から起立した第１の起立片１２Ｂ及び他方の側縁から起立した第２の起立片１２Ｃと、この底部１２Ａの軸方向に直行する方向に沿う後縁から起立した第３の起立片１２Ｅと、この底部１２Ａの軸方向に直行する方向に沿う前縁から起立した規制片１２Ｄと、から一体的に形成されている。第２の起立片１２Ｃの先端部に突起片１２Ｇが設けられている。規制片１２Ｄは３個形成されており、コネクタ１０６のラッチ用フラッパ１１０の下に挿入されるように取り付けられる。また、第３の起立片１２Ｅは３個の係止片１２Ｆから成り、それぞれの係止片１２Ｆは２個の突起から成り、コネクタ１０６の上部溝部１０６Ｃに第１の囲繞体１２を食い込む状態となる。また、第１の起立片１２Ｂには、押しネジ１０８の貫通のためのバカ穴１２Ｇが形成されている。このバカ穴１２Ｈは、押しネジ１０８を通すための穴で、その直径は押しネジ１０８のネジ部１０８Ｂの直径よりわずかに大きくなっている。【００５０】  上述した係止片１２Ｆは、図１０に示すように、ロック組体１０がコネクタ１０６に組み付けられた状態で、コネクタ１０６の後方部位に形成された上部溝部１０６Ｃに嵌まり込み係止可能とするものである。この係止された状態で、第１の囲繞体１２（従って、ロック組体１０全体）の軸方向に沿う移動が禁止されるようになされている。この係止片１２Ｆは２個の突起からなり、一本のＬＡＮケーブル用コネクタ１０６の根元の上部溝部１０６Ｃを挟み込む構造となっている。【００５１】  図１２は、第２の囲繞体１４の形状の詳細を示す図である。図１２（ａ）は、第２の囲繞体１４の正面図、  図１２（ｂ）は第２の囲繞体１４の側面図、図１２（ｃ）は第２の囲繞体１４の平面図である。第２の囲繞体１４は、底部１４Ａと、この底部１４Ａの一辺から起立した第１の起立片１４Ｂと、他辺から起立した第２の起立片１４Ｃと、底部１４Ａの前縁から立ち上がる第３の起立片１４Ｅと、底部１４Ａの反対側の縁から出ている押え片１４Ｄから一体的に形成されている。尚、第３の起立片１４Ｅは３個の係止片１４Ｆから成る。それぞれの係止片Ｆは２個の突起から構成され、一本のＬＡＮケーブル用コネクタ１０６の根元の上部溝部１０６Ｃを挟み込む構造となっている。押え片１４Ｄは、コネクタ１０６の底部１０６Ｂに軽く接触するように突き出されたものである。第１の起立片１４Ｂには押しネジ１０８を締め付けるためのネジ穴１４Ｈが形成されている。このネジ穴１４Ｈは、第１の囲繞体１２のバカ穴１２Ｈを貫通した押しネジ１０８を締め付けるための穴で、ネジ部１０８Ｂのネジピッチに合わせてネジが切られている。第２の起立片１４Ｃには貫通孔１４Ｇが設けられている。また、係止片１４Ｆが第１の起立片１４Ｂに沿うように立ち上がっている。また、押え片１４Ｄが第１の起立片１４Ｂの立ち上がりと逆の方向に伸びている。【００５２】  以下に、第１の囲繞体１２と第２の囲繞体１４を互いに組み立てる手順について図１３を参照して説明する。【００５３】  図１３は第１の囲繞体１２と第２の囲繞体１４を互いに組み立てた時の正面図である。第１の囲繞体１２は、上方から組み付けられた第２の囲繞体１４と各々の起立片が一部重なるように組み立てられる。すなわち、第２の囲繞体１４の第２の起立片１４Ｃの貫通孔１４Ｇに第１の囲繞体１２の第１の起立片１２Ｃの突起片１２Ｇを嵌め込む。次に、第１の囲繞体１２の第１の起立片１２Ｂのバカ穴１２Ｈと第２の囲繞体１４の第１の起立片１４Ｂのネジ穴１４Ｈが同じ位置となるように合わせて、押しネジ１０８で第１の囲繞体１２の第１の起立片１２Ｂと第２の囲繞体１４の第１の起立片１４Ｂを締めつけ、組み立てられる。【００５４】  この後、コネクタ１０６が、差込口１０４に挿入された状態で、第１の囲繞体１２の底部１２Ａがコネクタ１０６の上面１０６Ａに接触するように、第１の囲繞体１２の第１の起立片１２Ｂ及び第２の起立片１２Ｃがコネクタ１０６の下方に位置するように構成される。この場合、第１の囲繞体１２に設けられている係止片１２Ｆは、コネクタ１０６の根元の上面溝部１０６Ｃに食い込む状態となる。また、規制片１２Ｄはコネクタ１０６が差込口１０４に挿入されている状態でコネクタ１０６の上面１０６Ａに接触し沿うようにラッチ用フラッパ１１０の下に挿入される。さらに、第２の囲繞体１４の係止片１４Ｆは、コネクタ１０６の根元の底面溝部１０６Ｄに食い込む状態となる。この状態で、ロック組体１０を構成する第１の囲繞体１２及び第２の囲繞体１４は図６に示すような構��になり、押しネジ１０８により第１の囲繞体１２の第１の起立片１２Ｂと第２の囲繞体１４の第１の起立片１４Ｂが締め付けられ、組み立てられることによりコネクタ１０６が差込口１０４へ挿入されたままロックされる。【００５５】  尚、図１４及び図１５を参照して、通常の状態における（即ち、この実施例のロック用組体１０を用いていない状態における）ハブ１０２のコネクタ１０６が差込口１０４へ差し込まれる動作を説明する。【００５６】  図１４はコネクタ１０６と差込口１０４の断面図である。先ず、コネクタ１０６の上面１０６Ａには、弾性的に押し込み偏倚自在にラッチ用フラッパ１１０が取り付けられており、詳細には、図７に示すように、これの先端が、コネクタ１０６の上面１０６Ａの前端縁に一体的に取り付けられている。【００５７】  ここで、ラッチ用フラッパ１１０は、その基端部１１０Ａが幅広に設定されており、この基端部１１０Ａに引き続く先端部１１０Ｂは、基端部１１０Ａよりも幅狭に設定されている。即ち、ラッチ用フラッパ１１０は、幅方向に関して２段構造を呈しており、略中ほどで、段差が形成されているものである。【００５８】  図１５は、ハブ１０２の差込口を示す斜視図である。複数の差込口１０４は、図１５に示すように、開口部の上縁には、ラッチ用フラッパ１１０の幅広の基端部１１０Ａが挿通可能な第１の溝部１０４Ａが形成されており、この第１の溝部１０４Ａの上底面には、ラッチ用フラッパ１１０の幅広の基端部１１０Ａが挿通不能で、幅狭の先端部１１０Ｂのみが挿通可能な第２の溝部１０４Ｂが形成されている。尚、第２の溝部１０４Ｂの軸方向に沿う厚さは薄く設定され、所謂係止用の肩部が規定されている。【００５９】  差込口１０４は、このような構造を呈しているので、再び図７に示すように、コネクタ１０６が差込口１０４に挿入されてくると、ラッチ用フラッパ１１０の幅広の基端部１１０Ａは、第１の溝部１０４Ａを通り抜けながら、これの上底面で徐々に押し下げられることになる。そして、ラッチ用フラッパ１１０の先端部１１０Ｂに移行する段差部が、上述した肩部を通過した時点で、幅狭の先端部１１０Ｂが自身の弾性力により第２の溝部１０４Ｂ内に落ち込むように入り込むこととなり、これにより、ラッチ用フラッパ１１０の段差部が差込口１０４の肩部に係止されることになる。このような段差部と肩部との係止関係により、コネクタ１０６の差込口１０４への差込状態が、抜き取り不能にラッチされることになる。【００６０】  一方、この差込状態から、コネクタ１０６を抜き取る際には、ラッチ用フラッパ１１０を自身の弾性力に抗して押し下げる。この押し下げにより、上述した段差部と肩部との間の係止状態が解除され、コネクタ１０６は差込口１０４から抜き出させられる状態となる。即ち、コネクタ１０６の差込口１０４へのラッチ状態が解除されることになる。この解除状態で、コネクタ１０６を差込口１０４から引き抜くことにより、コネクタ１０６は差込口１０４から引き出されることになる。【００６１】  このように構成されたコネクタ１０６及び差込口１０４の構成において、この実施例のロック用組体１０を用いることにより、組み付けられたロック用組体１０の第２の囲繞体１４に一体的に形成された規制片１２Ｄが、ラッチ用フラッパ１１０の押し下げ移動を邪魔することとなり、これにより、ラッチ用フラッパ１１０の押し下げによるラッチの解除が阻止されることになる。この結果、コネクタ１０６は差込口１０４に差し込まれた状態を維持（即ち、ロック）されることとなり、コネクタ１０６の差込口１０４からの抜き取りが確実に禁止されることになる。【００６２】  以上詳述したように、この実施例に係わるロック用組体１０を用いて、ＰＣ１０１或いはハブ１０２の差込口１０４に差し込まれているコネクタ１０６の、該差込口１０４への差込状態をロックすることにより、ＰＣ１０１或いはハブ１０２にＬＡＮケーブル１００を効果的にロックすることができる効果を奏することができるものである。これにより、安易にＰＣを他の場所に移動させることを含めて、盗難から有効に防止することができるものである。即ち、この実施例においては、従来のロック用のワイヤー等の連結具を用いて、ＰＣをその設置場所に止め置くようにしていたことと比較して、ＰＣの筐体に何ら別部材を接着することなく、ＰＣ１０１或いはハブ１０２に既に連結されているコネクタ１０６の抜き取りをロック（禁止）することによりＰＣの、盗難防止の効果を奏することができるものであり、その有用性はきわめて高いものである。【００６３】  特に、この実施例に係わるロック用組体１０を用いる状態において、ＰＣ１０１を持ち去ろう（その設置場所から強制的に移動させよう）とする者は、ＬＡＮケーブル１００を切断するしか手段がなくなるものである。しかし、ひとたびこのＬＡＮケーブル１００が切断されると、例えば、金属製のカッタ刃がＬＡＮケーブル１００内のコードに接触してショートする状態となり、このショート現象が、ＬＡＮケーブル１００が接続される相手側であるサーバにより検知されて、このサーバにおいて、ＬＡＮケーブル１００の意図しない切断が認識されえる状態となるものである。また、例えショート現象が検知されない場合においても、切断された後のＬＡＮケーブル１００においては、コードがオープン状態となるものであり、このオープン状態がサーバにより検知されて、同様に、このサーバにおいて、ＬＡＮケーブル１００の意図しない切断が認識される状態となるものである。【００６４】  即ち、この実施例のロック用組体１０を用いることにより、ＰＣ１０１の盗難を防止することのみならず、仮に盗難された場合において、即座にその盗難された事実を検知することが出来、これにより所謂セキュリティーの向上を図ることができるものである。【００６５】  以下、本考案に係わるＬＡＮケーブル用コネクタのロック組体の第三の実施例について図１６乃至図１８を用いて詳細に説明する。図１６は本考案になるロック組体の組み上げられた状態を示す斜視図であり、図１６は第１の囲繞体１２の第２の起立片１２Ｃ側から見た斜視図、図１７は第１の囲繞体１２の第１の起立片１２Ｂ側から見た斜視図、図１８は第１の囲繞体１２の底部１２Ａ側から見た斜視図を示す。【００６６】  まず、図１６乃至図１８について詳細に説明する。第２の囲繞体１４は、第１の囲繞体１２の上部内側に重なるように設けられている。第１の囲繞体１２に��いては、底部１２Ａの両端部に第１の起立片１２Ｂ、第２の起立片１２Ｃが立ち上がっている。この第１の起立片１２Ｂ、第２の起立片１２Ｃの内側に、第２の囲繞体１４の底部１４Ａの両端部から立ち上がっている第１の起立片１４Ｂと第２の起立片１４Ｃがそれぞれ重なり合うように構成されている。また、第１の囲繞体１２の第２の起立片１２Ｃの先端部の突起片１２Ｇが、第２の囲繞体１４の第２の起立片１４Ｃに設けられている貫通孔１２Ｇに嵌め込む状態で固定されている。さらに、第１の囲繞体１２の第１の起立片１２Ｂに設けられているバカ穴の位置と、第２の囲繞体１４第１の起立片１４Ｂに設けられているネジ穴の位置とを重ね合わせ、バカ穴側から押しネジ１０８をネジ穴に差込み、第１の囲繞体１２と第２の囲繞体１４を固着させることが出来る。なお、ネジ頭１０８Ａはネジ１０８の頭の部分で工具を差込みネジを回す溝が設けられている。ネジ部１０８Ｂはネジ１０８の軸の部分で一定のピッチのネジ山が形成されている。【００６７】  図１６乃至図１８に示すロック組体１０には、盗難防止のためにロックされたＰＣを識別する識別手段が設けられている。これは、複数のＰＣ管理者が自己の担当するＰＣを誤りなく迅速に識別し、ＰＣの管理を効率よく行うためのものである。【００６８】  識別手段として、カラーシールをロック組体１０に貼り付ける方法がある。カラーシールの貼り付け場所は、図１６に示す第１の囲繞体１４の底部１４Ａ、図１６に示す第１の囲繞体１４の第２の起立片１２Ｃの外側、図１７に示す第１の囲繞体１４の第１の起立片１２Ｂの外側、図１８に示す第２の囲繞体１４の底部１４Ａの裏側などがある。カラーシールをどの部分に貼るかは、ＰＣ管理者の管理に都合の良い場所が選定される。【００６９】  識別手段としては、カラーシールの他に、ロック組体１０を着色する方法がある。着色する場所としては、ロック組体全体、或いは図１６に示す第１の囲繞体１４の底部１４Ａ、図１６に示す第１の囲繞体１４の第２の起立片１２Ｃの外側、図１７に示す第１の囲繞体１４の第１の起立片１２Ｂの外側、図１８に示す第２の囲繞体１４の底部１４Ａの裏側などがある。【００７０】  以下、本考案に係わるＬＡＮケーブル用コネクタのロック組体の第四の実施例について図１９乃至図２１を用いて詳細に説明する。図１９乃至図２１は本考案になるロック組体の組み上げられた状態を示す斜視図であり、図１９は第１の囲繞体１２の第２の起立片１２Ｃ側から見た斜視図、図２０は第１の囲繞体１２の第１の起立片１２Ｂ側から見た斜視図、図２１は第１の囲繞体１２の底部１２Ａ側から見た斜視図を示す。【００７１】  まず、図１９乃至図２１について詳細に説明する。第２の囲繞体１４は、第１の囲繞体１２の上部内側に重なるように設けられている。第１の囲繞体１２においては、底部１２Ａの両端部に第１の起立片１２Ｂ、第２の起立片１２Ｃが立ち上がっている。この第１の起立片１２Ｂ、第２の起立片１２Ｃの内側に、第２の囲繞体１４の底部１４Ａの両端部から立ち上がっている第１の起立片１４Ｂと第２の起立片１４Ｃがそれぞれ重なり合うように構成されている。また、第１の囲繞体１２の第２の起立片１２Ｃの先端部の突起片１２Ｇが���第２の囲繞体１４の第２の起立片１４Ｃに設けられている貫通孔１２Ｇに嵌め込む状態で固定されている。さらに、第１の囲繞体１２の第１の起立片１２Ｂに設けられているバカ穴の位置と、第２の囲繞体１４第１の起立片１４Ｂに設けられているネジ穴の位置とを重ね合わせ、バカ穴側から押しネジ１０８をネジ穴に差込み、第１の囲繞体１２と第２の囲繞体１４を固着させることが出来る。なお、ネジ頭１０８Ａはネジ１０８の頭の部分で工具を差込みネジを回す溝が設けられている。ネジ部１０８Ｂはネジ１０８の軸の部分で一定のピッチのネジ山が形成されている。【００７２】    図１７に示すロック組体１０には、盗難防止のためにロックされたＰＣを識別する識別手段が設けられている。これは、複数のＰＣ管理者が自己の担当するＰＣを誤りなく迅速に識別し、ＰＣの管理を効率よく行うためのものである。【００７３】  識別手段として、カラーシールをロック組体１０に貼り付ける方法がある。カラーシールの貼り付け場所は、図１９に示す第１の囲繞体１４の底部１４Ａ、図１９に示す第１の囲繞体１４の第２の起立片１２Ｃの外側、図２０に示す第１の囲繞体１４の第１の起立片１２Ｂの外側、図２１に示す第２の囲繞体１４の底部１４Ａの裏側がある。カラーシールをどの部分に貼るかは、ＰＣ管理者の管理に都合の良い場所が選定される。【００７４】  識別手段としては、カラーシールの他に、ロック組体１０を着色する方法がある。着色する場所としては、ロック組体全体、或いは図１９に示す第１の囲繞体１４の底部１４Ａ、図１９に示す第１の囲繞体１４の第２の起立片１２Ｃの外側、図２０に示す第１の囲繞体１４の第１の起立片１２Ｂの外側、図２１に示す第２の囲繞体１４の底部１４Ａの裏側などがある。【００７５】  以下、本考案に係わるＬＡＮケーブル用コネクタのロック組体の第五の実施例について図１６乃至図１８を用いて詳細に説明する。図１６乃至図１８は本考案になるロック組体の組み上げられた状態を示す斜視図であり、図１６は第１の囲繞体１２の第２の起立片１２Ｃ側から見た斜視図、図１７は第１の囲繞体１２の第１の起立片１２Ｂ側から見た斜視図、図１８は第１の囲繞体１２の底部１２Ａ側から見た斜視図を示す。【００７６】  まず、図１６乃至図１８について詳細に説明する。第２の囲繞体１４は、第１の囲繞体１２の上部内側に重なるように設けられている。第１の囲繞体１２においては、底部１２Ａの両端部に第１の起立片１２Ｂ、第２の起立片１２Ｃが立ち上がっている。この第１の起立片１２Ｂ、第２の起立片１２Ｃの内側に、第２の囲繞体１４の底部１４Ａの両端部から立ち上がっている第１の起立片１４Ｂと第２の起立片１４Ｃがそれぞれ重なり合うように構成されている。また、第１の囲繞体１２の第２の起立片１２Ｃの先端部の突起片１２Ｇが、第２の囲繞体１４の第２の起立片１４Ｃに設けられている貫通孔１２Ｇに嵌め込む状態で固定されている。さらに、第１の囲繞体１２の第１の起立片１２Ｂに設けられているバカ穴の位置と、第２の囲繞体１４第１の起立片１４Ｂに設けられているネジ穴の位置とを重ね合わせ、バカ穴側から押しネジ１０８をネジ穴に差込み、第１の囲繞体１２と第２の囲繞体１４を固着させることが出来る���なお、ネジ頭１０８Ａはネジ１０８の頭の部分で工具を差込みネジを回す溝が設けられている。ネジ部１０８Ｂはネジ１０８の軸の部分で一定のピッチのネジ山が形成されている。【００７７】  図１６乃至図１８に示すロック組体１０には、盗難防止のためにロックされたＰＣを識別する識別手段が設けられている。これは、複数のＰＣ管理者が自己の担当するＰＣを誤りなく迅速に識別し、ＰＣの管理を効率よく行うためのものである。【００７８】  識別手段として、押しネジ１０８の種類をロック組体１０ごとに分ける方法がある。押しネジ１０８には、図３に示すように、超極低頭ネジ、皿ネジ型のいたずら防止ネジ、丸ネジ型のいたずら防止ネジなどの特殊ネジが用いられる。特殊ネジによる識別は、ＰＣ管理者のみが保有する特殊工具によりロック組体１０の脱着が可能となるため、複数のＰＣ管理者にとって自己の担当するＰＣを管理するためには極めて有用な方法である。【００７９】  しかし、押しネジ１０８ネジによる識別は、ネジ頭１０８Ｂの形状、ネジ頭１０８Ｂに特殊工具を差し込むための溝の形状などにより行われるため、ＰＣ管理者は自己のＰＣを識別しずらくなることがある。この場合は押しネジ１０８の種類に対応したカラーシールをロック組体の一部に貼り付けることにより、ＰＣ管理者のＰＣの識別を容易にする。カラーシールの貼り付け場所は、図１６に示す第１の囲繞体１４の底部１４Ａ、図１６に示す第１の囲繞体１４の第２の起立片１２Ｃの外側、
図１７に示す第１の囲繞体１４の第１の起立片１２Ｂの外側、図１８に示す第２の囲繞体１４の底部１４Ａの裏側などがある。カラーシールをどの部分に貼るかは、ＰＣ管理者の管理に都合の良い場所が選定される。【００８０】  カラーシールの他に、ロック組体１０を着色する方法がある。着色する場所としては、ロック組体全体、或いは図１６に示す第１の囲繞体１４の底部１４Ａ、図１６に示す第１の囲繞体１４の第２の起立片１２Ｃの外側、図１７に示す第１の囲繞体１４の第１の起立片１２Ｂの外側、図１８に示す第２の囲繞体１４の底部１４Ａの裏側などがある。【００８１】  以下、本考案に係わるＬＡＮケーブル用コネクタのロック組体の第六の実施例について図１９乃至図２１を用いて詳細に説明する。図１９乃至図２１は本考案になるロック組体の組み上げられた状態を示す斜視図であり、図１９は第１の囲繞体１２の第２の起立片１２Ｃ側から見た斜視図、図２０は第１の囲繞体１２の第１の起立片１２Ｂ側から見た斜視図、図２１は第１の囲繞体１２の底部１２Ａ側から見た斜視図を示す。【００８２】  まず、図１９乃至図２１について詳細に説明する。第２の囲繞体１４は、第１の囲繞体１２の上部内側に重なるように設けられている。第１の囲繞体１２においては、底部１２Ａの両端部に第１の起立片１２Ｂ、第２の起立片１２Ｃが立ち上がっている。この第１の起立片１２Ｂ、第２の起立片１２Ｃの内側に、第２の囲繞体１４の底部１４Ａの両端部から立ち上がっている第１の起立片１４Ｂと第２の起立片１４Ｃがそれぞれ重なり合うように構成されている。また、第１の囲繞体１２の第２の起立片１２Ｃの先端部の突起片１２Ｇが、第２の囲繞体１４の第２の起立片１４Ｃに設けられている貫通孔１２Ｇに嵌め込む状態で固定されている。さらに、第１の囲繞体１２の第１の起立片１２Ｂに設けられているバカ穴の位置と、第２の囲繞体１４第１の起立片１４Ｂに設けられているネジ穴の位置とを重ね合わせ、バカ穴側から押しネジ１０８をネジ穴に差込み、第１の囲繞体１２と第２の囲繞体１４を固着させることが出来る。なお、ネジ頭１０８Ａはネジ１０８の頭の部分で工具を差込みネジを回す溝が設けられている。ネジ部１０８Ｂはネジ１０８の軸の部分で一定のピッチのネジ山が形成されている。【００８３】    図１９乃至図２１に示すロック組体１０には、盗難防止のためにロックされたＰＣを識別する識別手段が設けられている。これは、複数のＰＣ管理者が自己の担当するＰＣを誤りなく迅速に識別し、ＰＣの管理を効率よく行うためのものである。【００８４】  識別手段として、押しネジ１０８の種類をロック組体１０ごとに分ける方法がある。押しネジ１０８には、図３に示すように、超極低頭ネジ、皿ネジ型のいたずら防止ネジ、丸ネジ型のたずら防止ネジなどの特殊ネジが用いられる。特殊ネジによる識別は、ＰＣ管理者のみが保有する特殊工具によりロック組体１０の脱着が可能となるため、複数のＰＣ管理者にとって自己の担当するＰＣを管理するためには極めて有用な方法である。【００８５】  しかし、押しネジ１０８による識別は、ネジ頭１０８Ｂの形状、ネジ頭１０８Ｂに特殊工具を差し込むための溝の形状などにより行われるため、ＰＣ管理者は自己のＰ���を識別しずらくなることがある。この場合は押しネジ１０８の種類に対応したカラーシールをロック組体の一部に貼り付けることにより、ＰＣ管理者のＰＣの識別を容易にする。カラーシールの貼り付け場所は、図１９に示す第１の囲繞体１４の底部１４Ａ、図１９に示す第１の囲繞体１４の第２の起立片１２Ｃの外側、図２０に示す第１の囲繞体１４の第１の起立片１２Ｂの外側、図２１に示す第２の囲繞体１４の底部１４Ａの裏側がある。カラーシールをどの部分に貼るかは、ＰＣ管理者の管理に都合の良い場所が選定される。【００８６】  カラーシールの他に、ロック組体１０を着色する方法がある。着色する場所としては、ロック組体全体、或いは図１９に示す第１の囲繞体１４の底部１４Ａ、図１９に示す第１の囲繞体１４の第２の起立片１２Ｃの外側、図２０に示す第１の囲繞体１４の第１の起立片１２Ｂの外側、図２１に示す第２の囲繞体１４の底部１４Ａの裏側などがある。【００８７】  この考案は、上述した実施例の構成に限定されることなく、この考案の要旨を逸脱しない範囲で種々の変形可能であることは言うまでもない。【００８８】  例えば、上述の実施例では起立片１２Ｆ、１４Ｆ、規制片が各３個の場合につき説明したが、この構成に限ることはなく、起立片１２Ｆ、１４Ｆ、規制片がいくつであっても差し支えないことは言うまでもない。【００８９】  例えば、上述の実施例では、カラーシールを貼り付けるＬＡＮケーブルのロック組体は、特殊ネジによりロックするものであったが、錠前によりロックするものであっても差し支えないことは言うまでもない。【００９０】  例えば、識別手段として、カラーシール、着色について説明したが、文字、記号などによる識別であっても差し支えないことは言うまでもない。
【図面の簡単な説明】
【００９１】
【図１】  第一の実施例のロック組体の斜視図である。
【図２】  第一の実施例において、ロック用組体が組み付けられ、コネクタの差込口への挿入状態がロックされた状態を示す断面図である。
【図３】  各種特殊ネジの形状を示す斜視図である。
【図４】  第一の実施例に示すロック用組体を構成する第１の囲繞体を示す図である。
【図５】  第一の実施例に示すロック用組体を構成する第２の囲繞体を示す図である。
【図６】  第一の実施例に示すロック組体の、第１の囲繞体に第２の囲繞体を組み込む直前の状態を示す正面図である。
【図７】  ＰＣのコネクタ差込口への挿入動作を示す断面図である。
【図８】  ＰＣ差込口の構成を取り出して示す斜視図である。
【図９】  第二の実施例のロック組体の斜視図である。
【図１０】  第二の実施例において、ロック用組体が組み付けられ、コネクタの差込口への挿入状態がロックされた状態を示す断面図である。
【図１１】  第二の実施例に示すロック用組体を構成する第１の囲繞体を示す図である。
【図１２】  第二の実施例に示すロック用組体を構成する第２の囲繞体を示す図である。
【図１３】  第二の実施例に示すロック組体の、第１の囲繞体に第２の囲繞体を組み込む直前の状態を示す正面図である。
【図１４】  ハブのコネクタ差込口への挿入動作を示す断面図である。
【図１５】  ハブの差込口の構成を取り出して示す斜視図である。
【図１６】  第三の実施例のロック組体の第１の囲繞体の第２の起立片側から見た斜視図である。
【図１７】  第三の実施例のロック組体の第１の囲繞体の第１の起立片側から見た斜視図である。
【図１８】  第三の実施例のロック組体の第１の囲繞体の底部側から見た斜視図である。
【図１９】  第四の実施例のロック組体の第１の囲繞体の第２の起立片側から見た斜視図である。
【図２０】  第四の実施例のロック組体の第１の囲繞体の第１の起立片側から見た斜視図である。
【図２１】  第四の実施例のロック組体の第１の囲繞体の底部側から見た斜視図である。
【符号の説明】
【００９２】１０    ロック用組体
１２    第１の囲繞体
１２Ａ    底部
１２Ｂ    第１の起立片
１２Ｃ    第２の起立片
１２Ｄ    規制片
１２Ｅ    第３の起立片
１２Ｆ    係止片
１２Ｇ    突起片
１２Ｈ    バカ穴
１４    第２の囲繞体
１４Ａ    底部
１４Ｂ    第１の起立片
１４Ｃ    第２の起立片
１４Ｄ    押え片
１４Ｅ    第３の起立片
１４Ｅ    係止片
１４Ｆ    貫通孔
１４Ｇ    ネジ穴
１００    ＬＡＮケーブル
１０１    ＰＣ
１０２    ハブ
１０４    差込口
１０４Ａ    第１の溝部
１０４Ｂ    第２の溝部
１０６    ＬＡＮケーブル用コネクタ（コネクタ）
１０６Ａ    上面
１０６Ｂ    底面
１０６Ｃ    上面溝部
１０６Ｄ    底面溝部
１０８    押しネジ
１０８Ａ  ネジ頭
１０８Ｂ  ネジ部
１１０    ラッチ用フラッパ
１１０Ａ    幅広の基端部
１１０Ｂ    幅狭の先端部
１１１    カラーシール
１１１Ａ    カラーシール
１１１Ｂ    カラーシール
１１１Ｃ    カラーシール
１１１Ｄ    カラーシール
【図１】
0003101178.tif 000003
【図２】
0003101178.tif 000004
【図３】
0003101178.tif 000005
【図４】
0003101178.tif 000006
【図５】
0003101178.tif 000007
【図６】
0003101178.tif 000008
【図７】
0003101178.tif 000009
【図８】
0003101178.tif 000010
【図９】
0003101178.tif 000011
【図１０】
0003101178.tif 000012
【図１１】
0003101178.tif 000013
【図１２】
0003101178.tif 000014
【図１３】
0003101178.tif 000015
【図１４】
0003101178.tif 000016
【図１５】
0003101178.tif 000017
【図１６】
0003101178.tif 000018
【図１７】
0003101178.tif 000019
【図１８】
0003101178.tif 000020
【図１９】
0003101178.tif 000021
【図２０】
0003101178.tif 000022
【図２１】
0003101178.tif 000023